(57)【要約】【課題】衣類全体を乾燥し易くするとともに、衣類の乾燥時間を短縮する。【解決手段】衣類が収容される回転ドラム２と、前記回転ドラム２を回転駆動させる運転用モータ３と、圧縮機４１、凝縮器４２、絞り手段４３及び蒸発器４４を冷媒が循環するヒートポンプ装置４と、前記凝縮器４２及び前記蒸発器４３が配置され、前記回転ドラム２内に乾燥用空気を送風するための乾燥風路５と、前記ドラム用モータ３及び前記圧縮機４１を制御する制御機器７とを具備し、前記制御機器７が、前記運転用モータ３を制御して前記回転ドラム２を正逆交互に回転させて前記回転ドラム２内の衣類をほぐす衣類ほぐし運転を行うとともに、当該衣類ほぐし運転において、前記圧縮機４１の予熱運転を行う。【選択図】図２
2016112229.tif 000002
【特許請求の範囲】
【請求項１】
衣類が収容される回転ドラムと、
前記回転ドラムを回転駆動させる運転用モータと、
圧縮機、凝縮器、絞り手段及び蒸発器を冷媒が循環するヒートポンプ装置と、
前記凝縮器及び前記蒸発器が配置され、前記回転ドラム内に乾燥用空気を送風するための乾燥風路と、
前記運転用モータ及び前記圧縮機を制御する制御機器とを具備し、
前記制御機器が、前記運転用モータを制御して前記回転ドラムを正逆交互に回転させて前記回転ドラム内の衣類をほぐす衣類ほぐし運転を行うとともに、当該衣類ほぐし運転において、前記圧縮機の予熱運転を行うことを特徴とする衣類乾燥機。
【請求項２】
前記乾燥風路に配置され、前記回転ドラムに乾燥用空気を送風する送風ファンを更に備え、
前記送風ファンが、前記運転用モータにより回転駆動されて前記回転ドラムと連動するように構成されており、
前記制御機器が、前記送風ファンが前記回転ドラム内に乾燥用空気を送風する順方向回転となる順方向運転区間と、前記順方向回転とは逆方向の逆方向回転となる逆方向運転区間との少なくとも一方において、前記圧縮機の予熱運転を行うことを特徴とする請求項１記載の衣類乾燥機。
【請求項３】
前記制御機器が、前記順方向運転区間において、前記圧縮機を回転させることにより前記圧縮機の予熱運転を行うことを特徴とする請求項２記載の衣類乾燥機。
【請求項４】
前記制御機器が、前記逆方向運転区間において、前記圧縮機を構成するモータの巻線に電流を流すことにより前記圧縮機の予熱運転を行うことを特徴とする請求項２又は３記載の衣類乾燥機。
【請求項５】
前記制御機器が、前記衣類ほぐし運転に続いて行う乾燥運転の開始後の所定時間の間、前記圧縮機を構成するモータの巻線に流す界磁電流を制御して前記圧縮機を加熱することを特徴とする請求項１乃至４の何れか一項に記載の衣類乾燥機。
【請求項６】
前記制御機器が、前記圧縮機の予熱運転を行う短時間乾燥モードと、前記圧縮機の予熱運転を行わない通常乾燥モードとをユーザが切り換え可能に構成されていることを特徴とする請求項１乃至５の何れか一項に記載の衣類乾燥機。
【請求項７】
前記圧縮機の吐出側に冷媒温度を検知する冷媒温度検知部を備え、
前記制御機器が、前記冷媒温度検知部により得られる冷媒温度を用いて、前記予熱運転時に前記凝縮器における凝縮圧力限界を超えないようにする安全装置を備えることを特徴とする請求項１乃至６の何れか一項に記載の衣類乾燥機。
【発明の詳細な説明】
【技術分野】
【０００１】
本発明は、衣類乾燥機に関するものである。
【背景技術】
【０００２】
従来の衣類乾燥機としては、衣類が収容される回転ドラムと、当該回転ドラムを回転駆動させる運転用モータと、圧縮機、凝縮器、絞り手段及び蒸発器を冷媒が循環するヒートポンプ装置と、前記凝縮器及び前記蒸発器が配置され、前記回転ドラム内に乾燥用空気を送風するための乾燥風路とを備えたものがある。
【０００３】
そして、この衣類乾燥機としては、例えば特許文献１に示すように、洗濯工程又は脱水工程において、圧縮機のモータへの通電を開始して、圧縮機の温度を上昇させるものや、冷媒の温度を上昇させるものが考えられている。
【０００４】
しかしながら、上記構成では、乾燥工程移行後に乾燥用空気が所定温度になるまでの時間を短くすることができるものの、乾燥工程移行時において衣類がドラムに貼り付いていたり、絡み合っていたりして、乾燥ムラが生じたり、また、万遍なく乾燥するためには乾燥時間が長くなってしまうという問題がある。
【先行技術文献】
【特許文献】
【０００５】
【特許文献１】特開２００４−３５０８２５号公報
【発明の概要】
【発明が解決しようとする課題】
【０００６】
そこで本発明は、上記問題点を解決すべくなされたものであり、衣類全体を乾燥し易くするとともに、衣類の乾燥時間を短縮することを主たる課題とするものである。
【課題を解決するための手段】
【０００７】
すなわち本発明に係る衣類乾燥機は、衣類が収容される回転ドラムと、前記回転ドラムを回転駆動させる運転用モータと、圧縮機、凝縮器、絞り手段及び蒸発器を冷媒が循環するヒートポンプ装置と、前記凝縮器及び前記蒸発器が配置され、前記回転ドラム内に乾燥用空気を送風するための乾燥風路と、前記運転用モータ及び前記圧縮機を制御する制御機器とを具備し、前記制御機器が、前記運転用モータを制御して前記回転ドラムを正逆交互に回転させて前記回転ドラム内の衣類をほぐす衣類ほぐし運転を行うとともに、当該衣類ほぐし運転において、前記圧縮機の予熱運転を行うことを特徴とする。
【０００８】
このように構成した衣類乾燥機によれば、衣類ほぐし運転において圧縮機の予熱運転を行っているので、乾燥工程移行後に乾燥用空気を所定温度になるまでの時間を短くすることができるだけでなく、乾燥工程移行時には衣類はほぐされており、乾燥ムラを防ぐことができるだけでなく、万遍なく乾燥するための乾燥時間を短くすることができる。
【０００９】
前記衣類乾燥機が、前記乾燥風路に配置され、前記回転ドラムに乾燥用空気を送風する送風ファンを更に備え、前記送風ファンが、前記運転用モータにより回転駆動されて前記回転ドラムと連動するように構成されている場合には、前記制御機器が、前記送風ファンが前記回転ドラム内に乾燥用空気を送風する順方向回転となる順方向運転区間と、前記順方向回転とは逆方向の逆方向回転となる逆方向運転区間との少なくとも一方において、前記圧縮機の予熱運転を行うことが望ましい。
【００１０】
前記順方向運転区間では、前期制御機器が、前記圧縮機を回転させることにより前記圧縮機の予熱運転を行うことが望ましい。
これならば、回転ドラム、蒸発器及び凝縮器への送風が有効となり、且つ、圧縮機が動作しているので、ヒートポンプサイクルが動作する構成となる。
【００１１】
前記逆方向運転区間では、圧縮機が動作していても、回転ドラム、蒸発器及び凝縮器への送風が無効であるため、ヒートポンプサイクルは動作しない。このため、前記制御機器が、前記逆方向運転区間において、前記圧縮機を構成するモータの巻線に電流を流すことにより前記圧縮機の予熱運転を行うことが望ましい。
これならば、逆方向運転区間においても圧縮機を予熱することができる。
【００１２】
前記制御機器が、前記衣類ほぐし運転に続いて行う乾燥運転の開始後の所定時間の間、前記圧縮機を構成するモータの巻線に流す界磁電流を制御して前記圧縮機を加熱することが望ましい。
これならば、乾燥運転の開始後の所定時間の間に圧縮機を加熱してヒートポンプサイクル全体の加熱を促進して、凝縮器における空気加熱能力を向上させる。
【００１３】
前記制御機器が、前記圧縮機の予熱運転を行う短時間乾燥モードと、前記圧縮機の予熱運転を行わない通常乾燥モードとをユーザが切り換え可能に構成されていることが望ましい。
これならば、ユーザが短時間乾燥モードと通常乾燥モードとを選択できるようになり、衣類乾燥機の使い勝手を向上させることができる。
【００１４】
前記圧縮機の吐出側に冷媒温度を検知する冷媒温度検知部を備え、前記制御機器が、前記冷媒温度検知部により得られる冷媒温度を用いて、前記予熱運転時に前記凝縮器における凝縮圧力限界を超えないようにする安全装置を備えることが望ましい。
これならば、蒸発器の空気加熱能力を損なうことなく、安全に且つ最大限に向上させることができる。
【発明の効果】
【００１５】
このように構成した本発明によれば、衣類ほぐし運転において圧縮機の予熱運転を行っているので、乾燥工程移行後に乾燥用空気を所定温度になるまでの時間を短くすることができるだけでなく、乾燥工程移行時には衣類はほぐされており、衣類全体を乾燥し易くするとともに、衣類の乾燥時間を短縮することができる。
【図面の簡単な説明】
【００１６】
【図１】本実施形態における衣類乾燥機の構成を示す模式図。
【図２】短時間乾燥モードの衣類ほぐし工程及び乾燥工程におけるモータの回転数及び回転方向を示す図。
【図３】通常乾燥モードの衣類ほぐし工程及び乾燥工程におけるモータの回転数及び回転方向を示す図。
【発明を実施するための形態】
【００１７】
以下に本発明に係る衣類乾燥機の一実施形態について図面を参照して説明する。
【００１８】
本実施形態に係る衣類乾燥機１００は、図１に示すように、衣類が収容される回転ドラム２と、当該回転ドラム２を回転駆動させる運転用モータ３と、圧縮機４１、凝縮器４２、絞り手段（例えば膨張弁又はキャピラリーチューブ等）４３及び蒸発器４４を冷媒が循環するヒートポンプ装置４と、前記凝縮器４２及び前記蒸発器４４が配置され、前記回転ドラム２内に乾燥用空気を送風するための乾燥風路５と、前記乾燥風路５に配置され、前記回転ドラム２に乾燥用空気を送風する送風ファン６と、前記運転用モータ３及び前記圧縮機４１等を制御して乾燥機全体を制御する制御機器７とを備える。なお、前記圧縮機４１の吐出側配管には、当該吐出側配管を流れる冷媒の温度を検知する例えばサーミスタ等の冷媒温度検知部８が設けられている。
【００１９】
本実施形態では、前記送風ファン６が、前記運転用モータ３により回転駆動されて前記回転ドラム２と連動するように構成されている。つまり、前記回転ドラム２が一方の方向に回転する場合に、送風ファン６が前記回転ドラム２内に乾燥用空気を送風する順方向回転となり、前記回転ドラム２が他方の方向に回転する場合に、前記送風ファン６が前記順方向回転とは逆方向の逆方向回転となる。なお、回転ドラム２及び送風ファン６は、運転用モータ３によりベルト駆動されるように構成されている。
【００２０】
また、乾燥風路５は、前記回転ドラム２の回転軸方向一端側の開口に連通するとともに、前記回転ドラム２の回転軸方向他端側の開口に連通して、前記回転ドラム２の内部を通過して乾燥用空気が循環するように構成されている。この乾燥風路５には、前記送風ファン６が順方向回転で回転した場合に、当該順方向回転した送風ファンにより生じる流れに沿って上流側から、前記凝縮器４２、前記蒸発器４４及び前記送風ファン６の順に配置されている。なお、乾燥風路５は、回転ドラム２、運転用モータ３、ヒートポンプ装置４及び送風ファン６等を収容する筐体９の内部に形成されている。
【００２１】
しかして本実施形態の制御機器７は、前記圧縮機４１の予熱運転を行う短時間乾燥モードと、前記圧縮機４１の予熱運転を行わない通常乾燥モード（省電力乾燥モード）とを実施できるように構成されている。
【００２２】
本実施形態の制御機器７は、前記短時間乾燥モードと前記通常乾燥モードとをユーザが選択可能にするための例えばパッチパネルやボタン等のユーザインターフェース７１と、当該ユーザインターフェース７１より選択されたモードで各部を制御する制御回路７２と、圧縮機４１に内蔵された圧縮機モータ及び運転用モータ３それぞれに対応して設けられたインバータ回路ＩＮＶ１、ＩＮＶ２とを備えている。そして、各インバータ回路ＩＮＶ１、ＩＮＶ２が前記制御回路７２により制御されるように構成されている。特に、圧縮機モータを回転駆動させるインバータ回路ＩＮＶ１は、前記制御回路７２により圧縮機モータを界磁電流制御及び回転数制御可能に構成されている。
【００２３】
本実施形態の制御機器７は、前記短時間乾燥モード及び前記通常乾燥モードの何れにおいても、衣類を乾燥する乾燥工程の直前に、当該衣類をほぐす衣類ほぐし工程を行わせる。
【００２４】
そして、制御機器７は、前記短時間乾燥モードにおいて、運転用モータ３を制御して前記回転ドラム２を正逆交互に回転させて前記回転ドラム２内の衣類をほぐす衣類ほぐし運転を行うとともに（衣類ほぐし工程）、当該衣類ほぐし運転において、前記圧縮機４１の予熱運転を行う。
【００２５】
より詳細に制御機器７は、図２に示すように、前記送風ファン６が順方向回転となる順方向運転区間Ａにおいて、前記圧縮機４１を回転させることにより前記圧縮機４１の予熱運転を行うとともに、前記送風ファン６が逆方向回転となる逆方向運転区間Ｂにおいて、前記圧縮機モータの巻線に電流を流すことにより前記圧縮機４１の予熱運転を行う。これら順方向運転区間Ａ及び逆方向運転区間Ｂは、衣類ほぐし運転に連動して、複数回交互に繰り返される。
【００２６】
ここで、各順方向運転区間Ａにおける圧縮機４１の予熱運転は、乾燥工程における圧縮機４１の定常運転時よりも高い周波数で運転することにより行う。また、各逆方向運転区間Ｂにおける圧縮機４１の予熱運転は、前記圧縮機モータの巻線に直流電流を流して前記巻線をジュール発熱させることにより行う。
【００２７】
そして、この衣類ほぐし運転が終了した後、制御機器７は、当該衣類ほぐし運転に続いて行う乾燥運転の開始後の所定時間の間（図２の区間Ｃ）、前記圧縮機の巻線に流す界磁電流（電流位相）を制御して、乾燥工程における圧縮機４１の定常運転時よりも大きな電流を流して、前記圧縮機４１を加熱する。
【００２８】
ここで、前記区間Ａ〜Ｃそれぞれにおいて、前記冷媒温度検知部８により得られる冷媒温度を用いて、前記予熱運転時に前記凝縮器４２における凝縮圧力限界を超えないように前記インバータ回路ＩＮＶ１を制御して前記予熱運転又は加熱運転を行う。なお、制御装置７が、凝縮器４２における凝縮圧力限界を超えないように安全装置を備えていても良い。
【００２９】
なお、図３に通常乾燥モードの衣類ほぐし工程及び乾燥工程におけるモータの回転数及び回転方向を示す。このモードでは、衣類ほぐし工程において、運転用モータ３が制御されて回転ドラム２が正逆交互に回転させるが、圧縮機モータに通電されない。その後、乾燥工程において、圧縮機モータに通電されて圧縮機が起動される。
【００３０】
このように構成した衣類乾燥機１００によれば、衣類ほぐし運転において圧縮機４１の予熱運転を行っているので、乾燥工程移行後に乾燥用空気を所定温度になるまでの時間を短くすることができるだけでなく、乾燥工程移行時には衣類はほぐされており、乾燥ムラを防ぐことができるだけでなく、万遍なく乾燥するための乾燥時間を短くすることができる。
【００３１】
なお、本発明は前記実施形態に限られるものではない。
例えば、前記制御機器は、区間Ｃにおいて界磁電流制御により圧縮機を加熱しているが、区間Ａ及び区間Ｂにおいて十分に空気加熱能力が得られる場合には、区間Ｃにおいて界磁電流制御により圧縮機を加熱する必要は必ずしもない。
【００３２】
また、制御機器は、順方向運転区間Ａ又は順方向運転区間Ｂの一方において、圧縮機の予熱運転を行うものであっても良い。
【００３３】
さらに、前記実施形態では、回転ドラム及び送風ファンが共通の運転用モータにより回転駆動されるものであったが、回転ドラム及び送風ファンそれぞれに独立して運転用モータが設けられるものであっても良い。
【００３４】
その他、本発明は前記実施形態に限られず、その趣旨を逸脱しない範囲で種々の変形が可能であるのは言うまでもない。
【符号の説明】
【００３５】
１００・・・衣類乾燥機
２・・・回転ドラム
３・・・運転用モータ
４・・・ヒートポンプ装置
４１・・・圧縮機
４２・・・凝縮器
４３・・・絞り手段
４４・・・蒸発器
５・・・乾燥風路
６・・・送風ファン
７・・・制御機器
８・・・温度検知部
【図１】
2016112229.tif 000003
【図２】
2016112229.tif 000004
【図３】
2016112229.tif 000005